(57)【要約】  石灰を７０〜９０％、水酸化リチウムまたは水酸化リチウム前駆体もしくはそれらの組合せを０．１〜１７％、および水を５〜２５％を用いて製造された低流量または閉回路での麻酔学における使用に適した二酸化炭素吸収剤であって、ここで、前記吸収剤は、副生成物であるＣｏｍｐｏｕｎｄ  Ａの生成が低く、高い吸収率をもたらす。【特許請求の範囲】
【請求項１】
水酸化カリウムおよび水酸化ナトリウムを実質的に含有しない石灰を約７０〜９０％、水酸化リチウムまたは水酸化リチウム前駆体もしくはそれらの組合せを約０．１〜１７％、ならびに水を約５〜２５％含むことを特徴とする二酸化炭素吸収剤配合物。
【請求項２】
前記水酸化リチウム前駆体は、水酸化リチウム、水酸化リチウム一水和物、塩化リチウム、塩化リチウム水和物、炭酸リチウムもしくはケイ酸リチウムまたはそれらの組合せからなるグループから選択されることを特徴とする、請求項１に記載の吸収剤。
【請求項３】
硬化剤を約０．１〜１０．０％さらに含むことを特徴とする、請求項２に記載の吸収剤。
【請求項４】
前記硬化剤は、塩化カルシウム、塩化マグネシウム、硫酸カルシウムもしくはケイ酸リチウムまたはそれらの組合せからなるグループから選択されることを特徴とする、請求項３に記載の吸収剤。
【請求項５】
前記吸収剤は、さらにアルカリハロゲン化物またはアルカリ土類ハロゲン化物を約０．１〜５．０％含有することを特徴とする、請求項１に記載の吸収剤。
【請求項６】
塩化カルシウムを約０．１〜５．０％含有することを特徴とする、請求項１に記載の吸収剤。
【請求項７】
グリセロールを約０．５〜５．０％含んでもよいことを特徴とする、請求項２に記載の吸収剤。
【請求項８】
前記水酸化リチウム前駆体は水酸化リチウムおよび／または塩化リチウム約０．１〜１７％であり、前記吸収剤は塩化カルシウムを約０．１〜５．０％含有することを特徴とする、請求項１に記載の吸収剤。
【請求項９】
二酸化炭素吸収剤を製造する方法であって、水酸化カリウムおよび水酸化ナトリウムを実質的に含有しない石灰約７０〜９０％、ならびに水酸化リチウムまたは水酸化リチウム前駆体もしくはそれらの組合せ約０．１〜１７％を水性懸濁液または水溶液中で混合して、ペーストを形成するステップと、前記ペーストを乾燥させて、前記吸収剤を形成するステップとを含むことを特徴とする方法。
【請求項１０】
前記吸収剤の最終含水率は、水約５〜２５％であることを特徴とする、請求項９に記載の方法。
【請求項１１】
指示染料、硬化剤、処理剤および湿潤剤を、前記吸収剤が乾燥する前に加えることを特徴とする、請求項９に記載の方法。
【請求項１２】
麻酔ガス中の二酸化炭素を吸収する方法であって、前記麻酔ガスから二酸化炭素を除去するために、二酸化炭素を含有する前記麻酔ガスを、水酸化カリウムおよび水酸化ナトリウムを実質的に含有しない石灰を約７０〜９０％、水酸化リチウムまたは水酸化リチウム前駆体もしくはそれらの組合せを約０．１〜１７％、ならびに水を約５〜２５％含む二酸化炭素吸収剤配合物と接触させることを特徴とする方法。
【請求項１３】
前記麻酔剤は、セボフルラン、デスフルラン、イソフルラン、ハロタンもしくはエンフルランまたはそれらの組合せからなるグループから選択されることを特徴とする、請求項１２に記載の方法。
【請求項１４】
前記水酸化リチウム前駆体は、水酸化リチウム、水酸化リチウム一水和物、塩化リチウム、塩化リチウム水和物、炭酸リチウムもしくはケイ酸リチウムまたはそれらの組合せを含むグループから選択される少なくとも１種を含むことを特徴とする、請求項１２に記載の方法。
【請求項１５】
前記吸収剤は、塩化カルシウム、塩化マグネシウム、硫酸カルシウムまたはケイ酸リチウムからなるグループから選択される少なくとも１種の硬化剤を含有することを特徴とする、請求項１２に記載の方法。
【請求項１６】
前記吸収剤は、アルカリハロゲン化物もしくはアルカリ土類ハロゲン化物またはそれらの組合せを約０．１〜５．０％含有することを特徴とする、請求項１２に記載の方法。
【請求項１７】
前記吸収剤は、塩化カルシウムを約０．１〜５．０％含有することを特徴とする、請求項１２に記載の方法。
【請求項１８】
前記吸収剤は、グリセロールを約０．５〜５．０％含有することを特徴とする、請求項１２に記載の方法。
【請求項１９】
前記水酸化リチウム前駆体は水酸化リチウムおよび／または塩化リチウムを約０．１〜１７％含有し、前記吸収剤は塩化カルシウムを約０．１〜５．０％含有することを特徴とする、請求項１２に記載の方法。
【請求項２０】
前記吸収剤は、指示薬染料を０．１〜３．０％含有することを特徴とする、請求項１２に記載の方法。
【発明の詳細な説明】
【技術分野】
【０００１】
本出願は、２００６年１２月２６日に出願された米国仮出願第６０／８７７，２１８号と２００７年６月４日に出願された米国仮出願第６０／９３３，０３２号による利益を請求するものである。
【０００２】
本発明は、水酸化ナトリウムまたはカリウムを実質的に含有しない石灰、水酸化リチウムまたは水酸化リチウム前駆体、および水を含むガス系のための二酸化炭素吸収剤配合物に関する。吸収剤配合物は、特に、低流量または閉回路麻酔中に使用するために意図されているが、慣用のソーダ石灰吸収剤が使用される用途のために使用することができる。
【背景技術】
【０００３】
最も一般的な二酸化炭素用の吸収剤は、消石灰または水酸化カルシウムである。正味二酸化炭素吸収反応において、吸収剤配合物は基質として役立つために水が必要となる。
ＣＯ２（ｇ）＋Ｃａ（ＯＨ）２（ｓ）  →  ＣａＣＯ３（ｓ）＋Ｈ２Ｏ（ｇ，１）
ここで、二酸化炭素は、石灰と反応して、炭酸カルシウムおよび水をもたらす。慣用的には、石灰を、水酸化ナトリウムおよび／またはカリウムと組み合わせて、ソーダ石灰を形成する。強アルカリ水酸化物の存在により、ソーダ石灰は、石灰および水のみを含有する混合物よりも、より迅速に、かつ高い能力で二酸化炭素を吸収することができる。
【０００４】
ソーダ石灰の欠点は、強水酸化物塩基に対する麻酔薬の過敏性である。最も一般的に使用されている現在の麻酔薬は、水酸化ナトリウムおよび／またはカリウムと化学的に反応して、毒性である可能性のある副生成物を形成しうるフッ素化炭化水素である。例えば、麻酔薬セボフルラン（１，１，１，３，３，３−ヘキサフルオロ−２−（フルオロメトキシ）プロパン）は、水酸化物誘発脱フッ化水素化を受けて、「Ｃｏｍｐｏｕｎｄ  Ａ」（フルオロメチル−２，２−ジフルオロ−１−（トリフルオロメチル）ビニルエーテル）と称されるフルオロ−オレフィン副生成物をもたらし、これは、ラットに対して、６０〜１００ｐｐｍの濃度で腎毒性であり、３５０〜４００ｐｐｍの濃度で致死性であることが判明している。
【０００５】
水酸化ナトリウムおよび／またはカリウムを含有する吸収剤を使用する場合のさらなる懸念は、混合物の乾燥の可能性である。麻酔薬と無水ソーダ石灰における高度な発熱性の化学反応によって、ホルムアルデヒド、メタノールおよび一酸化炭素といった望ましくない副生成物が放出される。極端な場合には、これらの化学反応により放出される熱が、火災をもたらす。
【０００６】
副生成物であるＣｏｍｐｏｕｎｄ  Ａの形成ならびにホルムアルデヒド、メタノールおよび一酸化炭素への発熱性分解の問題に対処するために、２つの主なアプローチがとられてきた。第１のアプローチは、吸収剤配合物から水酸化ナトリウムおよびカリウムなどの強アルカリ水酸化物を除去することである。特許文献１および特許文献２はそれぞれ、水酸化ナトリウムおよびカリウムを実質的に含有しない水酸化カルシウムを含む二酸化炭素吸収剤を開示している。特許文献３は、水酸化ナトリウムを実質的に含有しない石灰を含み、水を実質的に含有せず、湿潤剤を実質的に含有せず、かつ少なくとも２０％の無水水酸化リチウムを含有する二酸化炭素吸収剤を開示している。特許文献４は、水酸化ナトリウムおよび水酸化カリウムを含有せず、水酸化バリウムおよび／または水酸化マグネシウムおよび／または水酸化リチウムが加えられていてよい石灰の使用を開示している。特許文献４には、範囲も、配合物の含水率も開示されていない。前記で挙げた刊行物のいずれも、消石灰を７０〜９０重量％および水を５〜２５重量％に対して、水酸化リチウム、水酸化リチウム前駆体またはそれらの組合せを０．１〜１７％使用することは開示していない。
【０００７】
麻酔薬分解を回避するために使用される第２のアプローチは、吸収剤混合物の保水性および／または色指示特性を増強する吸湿性塩または他の湿潤剤を加えることである。特許文献５は、ソーダ石灰の保水特性を増強するために塩化カルシウムを使用することを開示している。特許文献６は、塩化カルシウムおよび／または塩化マグネシウムを０．２〜２．０重量％、ソーダ石灰吸収剤配合物中で使用することを開示している。特許文献１は、水を７．５〜２０重量％をもたらすのに十分な量で存在する塩化カルシウム六水和物および／または塩化マグネシウム六水和物である無機湿潤剤を包含する石灰ベースの二酸化炭素配合物を開示している。加えて、この刊行物は、有機湿潤剤としてグリセロールを２．５〜２５体積％加えることを開示している。グリセロールは、Ｃｏｍｐｏｕｎｄ  Ａなどのオレフィン生成物に対して反応性であることも知られている（非特許文献１）。特許文献７は、水酸化カルシウムを含む二酸化炭素吸収剤を開示しており、これは、水酸化ナトリウムまたはカリウム、水、ホスホン酸および塩の群からのレオロジー調節剤ならびに色指示特性を改善するための塩化カルシウムを０．１〜６．０重量％含有してよい。
【先行技術文献】
【特許文献】
【０００８】
【特許文献１】米国特許第６，２２８，１５０号明細書
【特許文献２】米国特許出願公開第２００４／００２９７３０号明細書
【特許文献３】ＷＯ０１／４５８３７号パンフレット
【特許文献４】ドイツ特許第１９７４０７３６号明細書
【特許文献５】カナダ特許第１１５１６３３号明細書
【特許文献６】米国特許出願公開第２００４／００２９７３０号明細書
【特許文献７】米国特許第６，８６７，１６５号明細書
【非特許文献】
【０００９】
【非特許文献１】Ｃｕｎｎｉｎｇｈａｍ  １９９６年
【発明の概要】
【発明が解決しようとする課題】
【００１０】
前記で挙げられた刊行物のいずれも、塩化カルシウムまたは他の湿潤剤を、水酸化リチウムまたは水酸化リチウム前駆体もしくはそれらの組合せを０．１〜１７重量％、石灰を７０〜９０重量％および水を５〜２５重量％含有する配合物中で使用することは開示されていない。
【課題を解決するための手段】
【００１１】
本発明は、水酸化カリウムおよび水酸化ナトリウムを実質的に含有しない石灰を７０〜９０重量％、水酸化リチウム、１種もしくは複数の水酸化リチウム前駆体またはそれらの組合せを０．５〜１７重量％、ならびに水を５〜２５重量％含有する二酸化炭素用の吸収剤である。水酸化リチウム前駆体は、溶液中にリチウムイオンを放出する化合物である。石灰（水酸化カルシウム）および水の存在下において、リチウム担持化合物はリチウムイオンを、カルシウムイオンおよびヒドロキシドイオンと共に放出して、その場でＬｉＯＨを形成する。ＬｉＯＨ前駆体のいくつかの例には、これらに限られないが、無水水酸化リチウム（ＬｉＯＨ）、水酸化リチウム一水和物（ＬｉＯＨ・Ｈ２Ｏ）、塩化リチウム（ＬｉＣｌ）、塩化リチウム水和物（ＬｉＣｌ・Ｈ２Ｏ）、炭酸リチウム（Ｌｉ２ＣＯ３）およびケイ酸リチウムが包含される。加えて、配合物は、硬化剤、水指示薬、消耗指示薬または湿潤剤を約０．１〜１０重量％含有してもよい。吸収剤は顆粒化されることで、顆粒化したソーダ石灰が現在使用されている潜水艦、閉回路水中呼吸具または緊急呼吸具などに使用することができる。特に、本発明は、吸入麻酔薬とのその相容性により、低流量および閉回路麻酔を包含する医学的麻酔において使用するために意図されている。水酸化リチウムの高い活性により、本発明の吸収剤の寿命は典型的には、追加の強アルカリを伴わない他の市販製品の寿命よりも長くなる。
【発明を実施するための形態】
【００１２】
二酸化炭素吸収剤は、石灰、水酸化リチウムまたは水酸化リチウム前駆体および水を混合することでペーストを形成し、これを押し出して顆粒を形成することにより調製される。次いで、顆粒化物質を、所望の含水率まで乾燥させるか、または完全に乾燥させて、所望の含水率まで再水和させ、直径約２から５ｍｍのペレットサイズを保持するようにスクリーニングする。本発明の吸収剤の他の形態およびサイズもまた考えられる。
【００１３】
吸収剤で使用される石灰は、水酸化ナトリウムおよび／または水酸化カリウムを実質的に含有しない水酸化カルシウムである。少量の不純物が石灰中に存在してもよい。水酸化リチウム前駆体は、溶液中でリチウムイオンを放出する化合物である。石灰（水酸化カルシウム）および水の存在下に、リチウム担持化合物はリチウムイオンを、カルシウムイオンおよびヒドロキシドイオンと共に放出して、その場でＬｉＯＨを形成する。ＬｉＯＨ前駆体のいくつかの例には、これらに限られないが、無水水酸化リチウム（ＬｉＯＨ）、水酸化リチウム一水和物（ＬｉＯＨ・Ｈ２Ｏ）、塩化リチウム（ＬｉＣｌ）、塩化リチウム水和物（ＬｉＣｌ・Ｈ２Ｏ）、炭酸リチウム（Ｌｉ２ＣＯ３）およびケイ酸リチウムが包含される。１種または複数の前駆体を組み合わせて使用することができる。吸収剤配合物中での水酸化リチウムの量は、その調製で使用される１種または複数の前駆体の種類に応じて算出する。無水水酸化リチウムを調製で使用する場合、これは、処理の間に水和されて、水酸化リチウム一水和物をもたらし、次いで、これが、石灰および水混合物中でリチウムおよびヒドロキシドイオンを放出する。
【００１４】
本発明は、処理および製造特性を改善するか、利用効果または麻酔薬相容性を改善する物質をさらに含む。本発明の好ましい実施形態では、塩化カルシウム約０．１〜５．０％が湿潤剤として存在する。吸収剤配合物はグリセロール０．５〜５．０％を湿潤剤、及びフルオロオレフィンＣｏｍｐｏｕｎｄ  Ａの化学的捕捉剤としてさらに包含してよい。
【００１５】
本発明の配合物は、０．０１〜０．３０％の量で存在するエチルバイオレット、メチルバイオレット、チタンイエロー、ＫｅｎａｚｏｌイエローまたはＣｌａｙｔｏｎイエローから選択される指示薬染料を包含する他の少量の成分を追加的に含んでよい。塩化カルシウム、塩化マグネシウム、ケイ酸アルミニウム、ケイ酸リチウム、硫酸カルシウムまたは硫酸マグネシウムなどの硬化剤が、０．１〜１０％の量で存在してよい。アルカリハロゲン化物および／またはアルカリ土類ハロゲン化物約０．１〜５．０％もまた、少量成分として加えることができる。
【００１６】
水酸化リチウム、水酸化リチウム前駆体またはそれらの組合せを含有する請求の吸収剤配合物の試料を調製し、試験した。本発明の次の実施例は、説明を目的とするものにすぎず、本発明の請求項を何ら制限するものではない。すべての百分率は、他に明示しない限り重量による。
【００１７】
［実施例１］
ケイ酸リチウム水溶液（ケイ酸リチウム２０重量％含有）約９２ｇを、水２８４ｇ中で混合し、続いて、グリセロール３１ｇを加えた。次いで、生じた溶液を、石灰１１７２ｇと混合した。別のコンテナで、水酸化リチウム一水和物５３ｇを水４００ｇに溶かし、続いて、エチルバイオレット指示薬水溶液１５ｍＬを加えた。次いで、水酸化物溶液を、石灰−ケイ酸塩−グリセロール混合物に、所望の粘稠度およびテクスチャまで混合した。生じたペーストを押出して、直径約３ｍｍおよび長さ３〜１０ｍｍの円柱形ペレットを得た。ペレットを１１０℃で、約１５重量％の好ましい含水率までオーブン乾燥させた。
【００１８】
［実施例２］
ケイ酸リチウム水溶液（ケイ酸リチウム２０％含有）約９２ｇを水２８４ｇ中で混合し、続いて、グリセロール３１ｇを加えた。次いで、生じた溶液を石灰１１８４ｇに加え、所望の粘稠度およびテクスチャまで混合した。生じたペーストをペレットに押出し、所望の含水率まで乾燥させた。
【００１９】
［実施例３］
水酸化リチウム一水和物約８ｇを、水４６０ｇに溶かし、続いて、エチルバイオレット指示薬水溶液約１５ｍＬを加えた。次いで、水酸化物溶液を石灰１２８８ｇと混合した。別のコンテナで、塩化カルシウム約３４ｇを水４６０ｇに溶かした。次いで、塩化物溶液を、石灰−水酸化物混合物に加え、混合し、次いで、生じたペーストをペレットに押出し、所望の含水率まで乾燥させた。
【００２０】
［実施例４］
塩化リチウム約８ｇおよび塩化カルシウム２３ｇを水９２０ｇに溶かし、続いて、エチルバイオレット指示薬水溶液約１５ｍＬを加えた。次いで、塩化物溶液を石灰１２９６と混合し、次いで、生じたペーストをペレットに押出し、所望の含水率まで乾燥させた。
【００２１】
調製の後に、実施例１〜４を、麻酔呼吸回路で試験して、二酸化炭素吸収性能を測定し、ｃｏｍｐｏｕｎｄ  Ａまたは他の分解副生成物の形成を監視した。これらの実験では、吸収剤約１ｋｇを、麻酔機械（Ｎｏｒｔｈ  Ａｍｅｒｉｃａｎ  Ｄｒａｇｅｒ  ＮＡＲＫＯＭＥＤ  ２）の下部（下流）吸収剤キャニスターに入れた。５００ｍＬの一回呼吸量を、１分当たり呼吸２０回の呼吸速度で、１分当たり１０リットルの全体積で使用した。吸息：呼息比は、１：２であった。セボフルラン濃度を、体積で４％に設定した（Ｎｏｒｔｈ  Ａｍｅｒｉｃａｎ  Ｄｒａｇｅｒ  Ｖａｐｏｒｉｚｅｒ  １９．１）。新鮮ガス速度は、低流量麻酔条件をシミュレートするために、１リットル分であった（Ｎ２Ｏ  ６００ｍＬ／Ｏ２  ４００ｍＬ）。１分当たり約４００ｍＬのＣＯ２流速を人工肺に送達して、呼気中ＣＯ２４％を達成した。超音波浴が、相対湿度１００％を達成するために肺アセンブリに包含されていた。医療用カプノメーター（ＤＡＴＡＳＣＯＰＥ  Ｍｕｌｔｉｎｅｘ  ４０００）を使用して、実験を通して麻酔回路ガス（セボフルラン、Ｎ２Ｏ、Ｏ２、ＣＯ２）を監視した。吸気は、吸収剤キャニスター（吸息アーム）から出て、呼気は人口肺（呼息アーム）から出た。吸息アーム中の一酸化炭素を、カプノメーター排気をＣＯモニター（ＶＵＬＣＡＩＮ  ＶＡ３０１Ｄ２）でサンプリングすることにより測定した。ガス試料を吸息アームから抜き取って、ガスクロマトグラフィーにより、分解副生成物（Ｃｏｍｐｏｕｎｄ  Ａなど）を監視した。ＣＯ２ガス濃度が、呼吸回路の吸息アーム中、体積で０．５％まで上昇したら、各実験を終えた。
【００２２】
表１に、水酸化リチウムまたは１種もしくは複数の水酸化リチウム前駆体を含む実施例１〜４での試験結果をまとめる。各配合物での１種または複数の水酸化リチウム前駆体の量は、重量パーセントで示され、無水種として挙げられている。各試料の吸収性能は、利用率によって測定される。即ち、質量増加によって決定される利用率は、（吸息アーム内をＣＯ２０．５％としたときの）吸収剤１キログラムを消費するまでに吸収される二酸化炭素のリットル数からなる。
【００２３】
【表１】
2010514556.tif 000002
【００２４】
表１に示す利用率の結果により、様々なＬｉＯＨ前駆体を使用して調製された配合物で同様の性能が証明される。水酸化リチウム一水和物、ケイ酸リチウムおよび塩化リチウムを使用して調製された試料は、低流量麻酔条件下において吸収剤１キログラム当たり二酸化炭素１６４〜１６９リットルを吸収する。配合物への湿潤剤および硬化剤としての塩化カルシウムの添加により、セボフルラン分解副生成物であるｃｏｍｐｏｕｎｄ  Ａおよび一酸化炭素の生成が低減された。実施例３および４は、重量でリチウム０．１％、塩素１．４％、水１６％および消石灰８２．５％の理想的な吸収剤組成が生じるように調製された。表１の分解および利用率の結果は、二酸化炭素吸収剤配合物内における水酸化リチウムへの前駆体として、水酸化リチウム一水和物および／または塩化リチウムを使用した場合でも同等の結果となることを証明している。
【００２５】
［実施例１〜８］
本発明の好ましい実施形態では、吸収剤配合物は、水酸化カルシウムを７０〜９０重量％、水を５〜２５％、指示薬染料としてのエチルバイオレットを０．０１〜０．３％、水酸化リチウム前駆体としてのＬｉＣｌを０．５〜１７％、および湿潤剤としてのＣａＣｌ２を０．１〜５．０％含有している。好ましい配合物の試料は、実施例５〜実施例８の通りに調製され、ペレット硬度、セボフルラン分解副生成物の生成および二酸化炭素の利用率について試験した。水酸化リチウム前駆体としてのＬｉＣｌと、湿潤剤としてのＣａＣｌ２とを含む実施例５〜８での実験結果を、表２に示す。
【００２６】
【表２】
2010514556.tif 000003
【００２７】
水酸化リチウム前駆体としての塩化リチウム、および湿潤剤としての塩化カルシウムの添加は、次の一般的な作用を吸収剤性能に有することを、表２の結果は示しており、配合物中でのＣａＣｌ２の量の増加は、ペレット硬度を上昇させ、利用率を低下させ、Ｃｏｍｐｏｕｎｄ  Ａの生成を低減させており、配合物中でのＬｉＣｌの量の増加は、二酸化炭素の利用率を上昇させ、ペレット硬度を低下させる。表２に挙げられた全ての実施例で、麻酔回路中の一酸化炭素濃度は、実験を通して検出レベル未満にとどまった。
【００２８】
［実施例９］
（本発明の吸収剤と市販の吸収剤との比較）
本発明の好ましい実施形態、下記の実施例９では、配合物は、エチルバイオレット指示薬を０．０２５％、塩化リチウムを０．５％、塩化カルシウムを２．０％、水を１３〜１８％、および石灰を７９〜８４％を含み、これを、次の通り調製した。塩化リチウム約８ｇおよび塩化カルシウム３２ｇを水９２３ｇに溶かし、続いて、エチルバイオレット指示薬水溶液約１５ｍＬを加えた。次いで、塩化物溶液を石灰１２８８ｇと混合し、次いで、生じたペーストをペレットに押し出し、所望の含水率まで乾燥させ、スクリーニングして、直径約０．２〜０．５ｃｍのペレットサイズを得た。
【００２９】
実施例９の複数の試料は、市販の二酸化炭素吸収剤と、吸収能およびセボフルランなどの麻酔薬との相容性の試験で比較した。市販の吸収剤には、表３に示されている次の配合物が包含される。
【００３０】
【表３】
2010514556.tif 000004
【００３１】
二酸化炭素吸収能（利用率）およびＣｏｍｐｏｕｎｄ  Ａの発生の両方を、上記の麻酔条件で新鮮な吸収剤の試料を使用して試験した。市販の吸収剤および実施例９の試料をまた、乾燥条件下でのセボフルランとの相容性を試験するために乾燥させた。これらの試験のために、吸収剤試料を、その含水率がほぼ０重量％になるまで、酸素ガスの高流量下に置いた。次いで、乾燥試料を、酸素８７％、セボフルラン８％および二酸化炭素５％の混合体に晒した。ガスクロマトグラフィーを使用して、麻酔回路ガスを、メタノールおよび一酸化炭素、セボフルランなど、乾燥吸収剤との望ましくない副反応による生成物に関して試験した。これらの実験それぞれでの試験結果を表３にまとめたが、これは、Ｃｏｍｐｏｕｎｄ  Ａの形成および新鮮な吸収剤の利用率ならびに乾燥吸収剤でのメタノールおよび一酸化炭素の生成量を挙げている。
【００３２】
【表４】
2010514556.tif 000005
【００３３】
表３の結果は、実施例９の試料は、水酸化カリウム（吸収剤１）または水酸化ナトリウム（吸収剤２）を含有する慣用の吸収剤の試料よりもかなり少ないＣｏｍｐｏｕｎｄ  Ａを生成することを示している。実施例９での吸収剤もまた、塩化カルシウム（吸収剤３および４）を含有する市販の吸収剤よりも高い二酸化炭素吸収能を有する一方で、良好なペレット硬度および最小Ｃｏｍｐｏｕｎｄ  Ａの生成を維持する。
【００３４】
さらに、水酸化カリウム（吸収剤１）または水酸化ナトリウム（吸収剤２）を含有する慣用の吸収剤は、乾燥させると、セボフルランと反応して、著しい量のメタノールおよび一酸化炭素を麻酔呼吸回路で発生させる。実施例１０の乾燥試料は、セボフルランおよび乾燥吸収剤との望ましくない副反応において、このような証拠を示さない。これらを考えると、試験結果は、本発明の好ましい吸収剤配合物は、大抵の市販の吸収剤よりも高い吸収能、望ましくないフルオロオレフィン副生成物Ｃｏｍｐｏｕｎｄ  Ａの最小生成、湿潤剤の添加による低い乾燥リスク、ならびに乾燥吸収剤およびセボフルランとの相互作用から形成される望ましくない副生成物がごく僅かであることを示している。
【国際調査報告】
2010514556.tif 000006